(57)【要約】【課題】  ドラムから独立して配置されたヘダーに接続する管の内面を、簡単な装置と操作で、容易にかつ効率よくジェット洗浄することができるジェット洗浄方法を提案する。【解決手段】  管状基部１６および湾曲管部１７を有するガイド管１５をヘダー１１に開口部１２、１３から挿入し、湾曲管部１７を管４の開口端に対向させた状態で、ガイド管１５内に挿通した洗浄ノズル２３付フレキシブルホース２４を管４の開口端から管４内に挿入し、洗浄ノズル２３から水ジェットを噴射して管４の内面を洗浄し、その後フレキシブルホース２４を後退させてガイド管１５を移動させ、湾曲管部１７を次の管４の開口端に対向させた状態で、洗浄ノズル２３付フレキシブルホース２４を前進させながら水ジェットを噴射して管４の内面を洗浄し、これを繰返して管群８をジェット洗浄する。【選択図】  図１
2010210221.tif 000002
【特許請求の範囲】
【請求項１】
ヘダーに接続する管の内面をジェット洗浄する方法であって、
ヘダー内の空間部に沿って伸びる管状基部、および管状基部の端部からヘダーに接続する管の開口端に向かって伸びる湾曲管部を有するガイド管を、ヘダーの開口部からヘダー内の空間部に挿入し、
ガイド管の湾曲管部をヘダーに接続する管の開口端に対向させた状態で、ガイド管内に挿通した洗浄ノズル付フレキシブルホースを管の開口端から管内に挿入し、洗浄ノズルから水ジェットを噴射して管内面を洗浄し、
その後洗浄ノズル付フレキシブルホースを後退させてガイド管を移動させ、湾曲管部を次の管の開口端に対向させた状態で、洗浄ノズル付フレキシブルホースを前進させながら水ジェットを噴射して管内面を洗浄し、
これを繰返すことを特徴とするジェット洗浄方法。
【請求項２】
ガイド管を挿入するヘダーの開口部が、ヘダーの長手方向端部または側面に設けられた開口部である請求項１記載の方法。
【請求項３】
ガイド管の管状基部が、剛性を有する管またはフレキシブル管からなる請求項１または２記載の方法。
【請求項４】
ガイド管に設けた目盛、または湾曲管部の先端部付近の画像を表示する画像表示装置により、湾曲管部の先端部を管の開口端に対向させる請求項１ないし３のいずれかに記載の方法。
【請求項５】
ヘダーの開口部側からガイド管を押し、または湾曲管部から伸びる線材を引くことにより、ガイド管を移動させる請求項１ないし４のいずれかに記載の方法。
【発明の詳細な説明】
【技術分野】
【０００１】
本発明は、ボイラ等のヘダーに接続する管の内面をジェット洗浄する方法、特にヘダーから立ち上がるように列状に接続する管の内面をジェット洗浄する方法に関するものである。
【背景技術】
【０００２】
火力発電用ボイラ、その他のボイラでは、水管、蒸気管等の管群を水ジェットによりジェット洗浄することが行われている。特許文献１（特開２０００−５５５８８）には、胴部と、該胴部の横断方向に該胴部内に水平に配置された管板及び複数の管支持板と、前記管板から一端が延びて該管板で他端が終端すると共に、前記胴部内にチューブレーンを画成するように前記各管支持板を貫いて列状に延びる複数の伝熱管とを有し、前記胴部には、前記管板よりも上方の部位にハンドホールが形成されている蒸気発生器において、前記ハンドホールから挿入されて前記管板回りの洗浄に適用されるスケール除去装置であって、高圧水ホースを保持して前記管板及び前記伝熱管に関して可動のフレキシブルランスと、該フレキシブルランスの先端に取り付けられる洗浄ヘッドとを備え、該洗浄ヘッドの内部には、前記高圧水ホースと連通する流体通路と、該流体通路に連通するチャンバと、該チャンバに連通するキャビテーション発生ノズル穴とが形成されている蒸気発生器用スケール除去装置が示されている。
【０００３】
しかし特許文献１には、胴部内に存在する伝熱管群の外側をジェット洗浄することが記載されているが、水管、蒸気管等の管の内面を水ジェットによりジェット洗浄することは記載されていない。火力発電用ボイラ、その他のボイラでは、新設時または定期点検時に酸液を用いる化学洗浄が行われるが、その前後に管内に堆積するスラッジや残留するスケールなどの不用固形物を除去するために、水管、蒸気管等の管の内面を水ジェットによりジェット洗浄することが行われる。管の内面のジェット洗浄においても、特許文献１で用いられているものと類似の洗浄ノズルおよびフレキシブルホースが用いられる。
【０００４】
一般的なボイラでは、水ドラム、蒸気ドラム等のドラム（胴部）に水管、蒸気管等の多数の管群が接続する構造となっており、水ドラム、蒸気ドラム等のドラム内には人が入って作業ができるため、ドラムに接続する水管、蒸気管等の管の内面をジェット洗浄する場合には、ドラム内には人が入って、洗浄ノズルが付いたフレキシブルホースを管内に順次挿入して水ジェットを噴射し、ジェット洗浄作業を行っている。ところがボイラには、ドラムから洗浄ノズルが付いたフレキシブルホースを挿入しても届かない管群が存在し、このような場所に存在する管の内面のジェット洗浄は困難であった。
【０００５】
図４（ａ）は２胴型ボイラの側面図、（ｂ）はその一部の斜視図である。図４において、ボイラ１は、下部に設けられた水ドラム２、および上部に設けられた蒸気ドラム３間に、多数の管４が接続して管群５が構成されている。この管群の前面の管が前壁管６、後面の管が後壁管７と呼ばれている。水ドラム２および蒸気ドラム３を連絡するボイラ本体の管群５から独立して、これらの側面に側壁を構成する側壁管８が設けられており、これらの側壁管８は、水ドラム２および蒸気ドラム３に接続するように配置されたヘダー１０、１１に接続している。典型的な側壁管８は、水ドラム２および蒸気ドラム３と直交するように配置された上下のヘダー１０、１１間を上下に連絡し、側壁を形成するように列状に設けられている。
【０００６】
このようなボイラ１は、下部に設けられた水ドラム２、および上部に設けられた蒸気ドラム３間に、多数の管４が接続して構成されているボイラ本体の管群５の管４の内面のジェット洗浄は、水ドラム２または蒸気ドラム３内には人が入って、洗浄ノズルが付いたフレキシブルホースを管４内に順次挿入して水ジェットを噴射し、ジェット洗浄を行うことができる。しかし水ドラム２および蒸気ドラム３を連絡するボイラ本体の管群５から独立して構成された側壁管８は、水ドラム２および蒸気ドラム３から独立して配置されたヘダー１０、１１に接続しているため、水ドラム２または蒸気ドラム３から洗浄ノズルが付いたフレキシブルホースを挿入しても届かないので、ジェット洗浄は困難であった。
【先行技術文献】
【特許文献】
【０００７】
【特許文献１】特開２０００−５５５８８
【発明の概要】
【発明が解決しようとする課題】
【０００８】
本発明の課題は、ドラムから独立して配置されたヘダーに接続する管の内面を、簡単な装置と操作で、容易にかつ効率よくジェット洗浄することができるジェット洗浄方法を提案することである。
【課題を解決するための手段】
【０００９】
本発明は、次のジェット洗浄方法である。
（１）ヘダーに接続する管の内面をジェット洗浄する方法であって、
ヘダー内の空間部に沿って伸びる管状基部、および管状基部の端部からヘダーに接続する管の開口端に向かって伸びる湾曲管部を有するガイド管を、ヘダーの開口部からヘダー内の空間部に挿入し、
ガイド管の湾曲管部をヘダーに接続する管の開口端に対向させた状態で、ガイド管内に挿通した洗浄ノズル付フレキシブルホースを管の開口端から管内に挿入し、洗浄ノズルから水ジェットを噴射して管内面を洗浄し、
その後洗浄ノズル付フレキシブルホースを後退させてガイド管を移動させ、湾曲管部を次の管の開口端に対向させた状態で、洗浄ノズル付フレキシブルホースを前進させながら水ジェットを噴射して管内面を洗浄し、
これを繰返すことを特徴とするジェット洗浄方法。
（２）ガイド管を挿入するヘダーの開口部が、ヘダーの長手方向端部または側面に設けられた開口部である上記（１）記載の方法。
（３）ガイド管の管状基部が、剛性を有する管またはフレキシブル管からなる上記（１）または（２）記載の方法。
（４）ガイド管に設けた目盛、または湾曲管部の先端部付近の画像を表示する画像表示装置により、湾曲管部の先端部を管の開口端に対向させる上記（１）ないし（３）のいずれかに記載の方法。
（５）ヘダーの開口部側からガイド管を押し、または湾曲管部から伸びる線材を引くことにより、ガイド管を移動させる上記（１）ないし（４）のいずれかに記載の方法。
【００１０】
本発明において、ジェット洗浄の対象となる管は、ヘダーに接続する管であり、特にヘダーから立ち上がるように列状に接続する管が対象として適している。このようなヘダーに接続する管としては、火力発電用ボイラ、その他のボイラの水ドラムおよび蒸気ドラム等のドラムを連絡するボイラ本体の管群から独立して、側壁を構成する側壁管が挙げられる。このような側壁管としては、水ドラムおよび蒸気ドラムと直交するように配置された上下のヘダー間を上下に連絡し、側壁を形成するように列状に設けられているものが洗浄対象として適している。
【００１１】
ヘダーは、給水管、水冷壁管等の管が接続する構造のものであり、特にヘダーから管が立ち上がるように列状に接続する構造のものが適しているが、管は直立状に立ち上がるものに限らず、傾斜方向または曲線状に立ち上がる構造のものでもよい。ヘダーはこれに接続する管の上下の一方または双方にあってもよい。ヘダーは開口部が設けられるが、特に長手方向端部または側面に開口部が設けられたものが好ましい。ヘダーの長手方向端部には、化学洗浄時の配管接続部および点検用としての円筒状の開口部が設けられるので、これを利用することができる。またヘダーの側面には、点検用の開口部が設けられるので、これを利用することができる。開口部の数は単数でも、複数でも良い。
【００１２】
本発明のジェット洗浄方法は、上記のようなヘダーに接続する管、特にヘダーから立ち上がるように列状に接続する管の内面をジェット洗浄するように構成される。この場合、ヘダーの開口部からガイド管をヘダー内の空間部に挿入し、ガイド管の湾曲管部をヘダーに接続する管の開口端に対向させた状態で、ガイド管内に挿通した洗浄ノズル付フレキシブルホースを管の開口端から管内に挿入し、洗浄ノズルから水ジェットを噴射して管内面を洗浄する。その後洗浄ノズル付フレキシブルホースを後退させてガイド管を移動させ、湾曲管部を次の管の開口端に対向させた状態で、洗浄ノズル付フレキシブルホースを前進させながら水ジェットを噴射して管内面を洗浄し、これを順次繰返すことにより管内のジェット洗浄を行う。
【００１３】
ガイド管は、ヘダー内の空間部に沿って伸びる管状基部、および管状基部の端部からヘダーに接続する管の開口端に向かって伸びる湾曲管部を有するように構成する。ガイド管は、管状基部が剛性を有する管、またはフレキシブル管からなるものが用いられる。管状基部が剛性を有する管からなるガイド管は、ヘダーの長手方向端部に設けられた開口部から基部を突出させて操作するのに適しており、必要によりヘダー側面部の開口部から手で支えるとともに、観察しながら操作することができる。また管状基部がフレキシブル管からなるガイド管は、ヘダーの側面に設けられた開口部からガイド管を挿入して操作するのに適している。管状基部がフレキシブル管からなるガイド管の場合には、管状基部の中間部に単数または複数のウエイト部材を介在させることにより、管状基部がヘダーの最下部に位置するようにすることができる。この場合、ヘダー側面部の開口部から観察しながら、手でガイド管を押したり、引いたりしてガイド管を操作することができる。
【００１４】
ガイド管の湾曲管部は、管状基部の端部からヘダーに接続する管の開口端に向かって湾曲して伸びるように構成され、湾曲管部の先端部はヘダーに接続する管の伸びる方向、一般的には直角方向上向きとなるように湾曲しているのが好ましい。ガイド管の湾曲管部は、管状基部と一体的に形成されていてもよく、また別部品として形成され、接合部材により管状基部と接合されていてもよい。ガイド管は、ヘダーの開口部側からガイド管を押し、または湾曲管部から伸びる線材を引くことによりガイド管内を移動させ、湾曲管部の先端部をヘダーに接続する管の開口端に対向させることができる。湾曲管部に線材を結合するためには、湾曲管部に環状またはフック状の結合部を設けることができる。
【００１５】
ガイド管内を移動させ、湾曲管部の先端部をヘダーに接続する管の開口端に対向させるために、ガイド管に目盛を設け、または湾曲管部の先端部付近の画像を表示する画像表示装置を設け、目盛または画像を見ながら湾曲管部を移動させることにより、湾曲管部の先端部を管の開口端に正確に対向させることができる。目盛りは、ヘダーの長手方向端部から突出するガイド管の管状基部に設けることにより、湾曲管部の先端部の位置を正確に知ることができる。画像表示装置としては、照明付カメラ、ＣＣＤカメラ等の撮像機と、ディスプレイ等の画像表示部との組合せにより、湾曲管部の先端部と管の開口端を観察しながら、操作することにより、湾曲管部の先端部の位置を正確に知ることができる。
【００１６】
ガイド管は湾曲管部をヘダーに接続する管の開口端に対向させた状態で、ガイド管内に挿通した洗浄ノズル付フレキシブルホースを管の開口端から管内に挿入し、洗浄ノズルから水ジェットを噴射して管内面を洗浄するように構成されるが、洗浄ノズル付フレキシブルホースは、予めガイド管内に挿通しておいてもよく、またガイド管をヘダー内の空間部に挿入した後に挿通してもよい。同様に洗浄ノズルはフレキシブルホースに予め取付けておいてもよく、またフレキシブルホースの挿入後に取付けてもよい。洗浄ノズルは、管内周に向かって、好ましくは斜下向きに水ジェットを噴射する噴射口を有し、洗浄ノズルが管内の全長に渡って前進、後退するように、フレキシブルホースをガイド管内に挿通させる構造とする。
【００１７】
上記のようにヘダーの開口部からガイド管をヘダー内の空間部に挿入し、ガイド管の湾曲管部をヘダーに接続する管の開口端に対向させた状態で、ガイド管内に挿通した洗浄ノズル付フレキシブルホースを管の開口端から管内に挿入し、洗浄ノズルから水ジェットを噴射して管内面を洗浄し、その後洗浄ノズル付フレキシブルホースを後退させてガイド管を移動させ、湾曲管部を次の管の開口端に対向させた状態で、洗浄ノズル付フレキシブルホースを前進させながら水ジェットを噴射して管内面を洗浄し、これを順次繰返すことにより、簡単な装置と操作で、容易にかつ効率よく管内のジェット洗浄を行うことができる。
【発明の効果】
【００１８】
本発明によれば、ヘダー内の空間部に沿って伸びる管状基部、および管状基部の端部からヘダーに接続する管の開口端に向かって伸びる湾曲管部を有するガイド管を、ヘダーの開口部からヘダー内の空間部に挿入し、ガイド管の湾曲管部をヘダーに接続する管の開口端に対向させた状態で、ガイド管内に挿通した洗浄ノズル付フレキシブルホースを管の開口端から管内に挿入し、洗浄ノズルから水ジェットを噴射して管内面を洗浄し、その後洗浄ノズル付フレキシブルホースを後退させてガイド管を移動させ、湾曲管部を次の管の開口端に対向させた状態で、洗浄ノズル付フレキシブルホースを前進させながら水ジェットを噴射して管内面を洗浄し、これを繰返すことにより、ドラムから独立して配置されたヘダーに接続する管の内面を、簡単な装置と操作で、容易にかつ効率よくジェット洗浄することができる。
【図面の簡単な説明】
【００１９】
【図１】第１の実施形態のジェット洗浄方法を示す透視図である。
【図２】第２の実施形態のジェット洗浄方法を示す透視図である。
【図３】（ａ）、（ｂ）はそれぞれ図１および図２における洗浄器具の正面図である。
【図４】（ａ）は２胴型ボイラの側面図、（ｂ）はその一部の斜視図である。
【発明を実施するための形態】
【００２０】
以下、本発明の実施形態を図面により説明する。図１は、管状基部が剛性を有する管からなるガイド管を、ヘダーの長手方向端部に設けられた開口部から基部を突出させるように挿入してジェット洗浄を行う例で、図３（ａ）の洗浄器具により洗浄を行い、図２は、管状基部がフレキシブル管からなるガイド管を、ヘダーの側面に設けられた開口部からヘダーに挿入してジェット洗浄を行う例で、図３（ｂ）の洗浄器具により洗浄を行うようにされている。
【００２１】
図１および図３（ａ）において、側壁管８およびヘダー１１は図４（ａ）、（ｂ）における側壁管８およびヘダー１１に対応しており、水ドラム２および蒸気ドラム３から独立して配置されたヘダー１１に管４が接続して側壁管８を構成している。ここで側壁管８は、横方向に配置された筒状のヘダー１１の上縁部から、上向きかつ列状に多数の管４が接続して構成されており、側壁管８を構成する多数の管４は列状に並んで面状の側壁を構成している。ヘダー１１の長手方向端部には、化学洗浄時の配管接続部および点検用として設けられている円筒状開口が開口部１２として利用されている。またヘダー１１の側面には、点検口が設けられるので、これが開口部１３として利用されている。
【００２２】
ガイド管１５は、ヘダー１１内の空間部に沿って伸びる管状基部１６、および管状基部１６の端部からヘダー１１に接続する管４の開口端に向かって伸びる湾曲管部１７を有し、この実施形態では、管状基部１６は剛性を有する管からなり、管状基部１６の基部２０がヘダー１１の長手方向端部に設けられた開口部１２から突出するように構成されている。湾曲管部１７は剛性を有する管からなり、管状基部１６の端部から管４の開口端に向かって、直角方向上向きに伸びるように湾曲している。ガイド管１５の管状基部１６と湾曲管部１７は別部品として形成され、接合部材１８により接合されている。接合部材１８は立方体形の外形を有するブロック１８ａが管状基部１６の端部に形成され、立方体形の凹部を有する外形立方体形の袋状のカップリング１８ｂが湾曲管部１７の端部に形成され、接合状態でインジケータプランジャ１８ｃにより固定され、インジケータプランジャ１８ｃの方向が湾曲管部１７の管４側の端部の方向と一致するようにされている。また湾曲管部１７には、線材を結合するための環状の結合部１９が設けられている。
【００２３】
ガイド管１５の管状基部１６のヘダー１１の長手方向端部に設けられた開口部１２から突出する基部２０には、横（水平）方向に直交するハンドル２１が設けられ、これを持ってガイド管１５を移動できるようにされている。またガイド管１５の基部２０には、ガイド管１５内に空気および／または水を注入できるように、空気／水注入部２２が設けられている。ガイド管１５の基部２０には目盛が設けられており、ガイド管１５をヘダー１１内で移動させたとき、湾曲管部１７の先端部を管４の開口端に容易に対向させることができるようにされている。
【００２４】
ガイド管１５は中空で、洗浄ノズル２３を取付けたフレキシブルホース２４をガイド管１５内に挿通できる構造とされている。洗浄ノズル２３付フレキシブルホース２４は、予めガイド管１５内に挿通しておいてもよく、またガイド管１５をヘダー１１内の空間部１４に挿入した後に挿通してもよい。同様に洗浄ノズル２３はフレキシブルホース２４に予め取付けておいてもよく、またフレキシブルホース２４の挿入後に取付けてもよい。洗浄ノズル２３は、管４の内周に向かって、好ましくは斜下向きに水ジェットを噴射する噴射口を有する。フレキシブルホース２４は洗浄ノズル２３が管４内の全長に渡って前進、後退するように、ガイド管１５内に挿通されている。
【００２５】
上記のガイド管１５を、ヘダーの開口部１２または１３からヘダー１１内の空間部１４に挿入するが、一般的には、ガイド管１５の管状基部１６を開口部１２から挿入し、湾曲管部１７を開口部１３から挿入し、開口部１３から操作して、接合部材１８で管状基部１６と接合することができる。この状態でハンドル２１を持ってガイド管１５を移動させ、湾曲管部１７の端部を管４の開口端に対向させるが、ハンドル２１は横（水平）方向に直交するように設けられ、ハンドル２１が水平状態の時に湾曲管部１７の先端方向が上向きとなる構造となっているので、ハンドル２１の角度より湾曲管部１７の先端方向を容易に把握できる。管状基部１６は剛性を有する管からなるガイド管１５は全体が剛性を有し、ヘダー１１の長手方向端部に設けられた開口部１２から基部２０を突出させて操作するのに適している。この場合、必要によりヘダー１１側面部の開口部１３から手でガイド管１５を支えるとともに、開口部１３から観察しながら位置合わせをして操作することができる。
【００２６】
このように湾曲管部１７をヘダー１１に接続する管４の開口端に対向させた状態で、ガイド管１５内に挿通した洗浄ノズル２３付フレキシブルホース２４を管４の開口端から管４内に挿入し、洗浄ノズル２３から水ジェットを噴射して管４の内面を洗浄する。洗浄ノズル２３付フレキシブルホース２４を前進、後退させることにより、管４の洗浄を終わった後、水ジェットの噴出を停止して、洗浄ノズル２３付フレキシブルホース２４を後退させてガイド管１５を移動させ、湾曲管部１７を次の管４の開口端に対向させた状態で、洗浄ノズル２３付フレキシブルホース２４を前進させながら水ジェットを噴射して管４の内面を洗浄し、これを繰返すことにより側壁管８を構成する全体の管４の内面のジェット洗浄を行う。
【００２７】
上記のジェット洗浄により、管４内のスケール、スラッジ等の固形物、その他の不用物は、管４からヘダー１１内に押し流されるので、本設または仮設の管を通してヘダー１１から系外に排出する。空気／水注入部２２から空気および／または水を注入しながらジェット洗浄を行うと、ガイド管１５に固形物等が流入するのを防止できるが、ガイド管１５に固形物等が流入した場合には、洗浄ノズル２３付フレキシブルホース２４を引抜き、または引抜かない状態で、空気／水注入部２２からガイド管１５に空気および／または水を注入して、ガイド管１５内の固形物等の不用物を洗い流し、同様にヘダー１１から系外に排出することができる。
【００２８】
図２および図３（ｂ）においては、ガイド管１５は、管状基部１６はフレキシブル管からなり、ヘダー１１側面部の開口部１３から空間部１４に挿入するように構成されている。このガイド管１５では、フレキシブル管からなる管状基部１６の中間部に、ヘダー１１の底部に嵌まり込む形状を有する複数のウエイト部材２５を介在させることにより、管状基部１６がヘダー１１の最下部に位置するように構成することができる。フレキシブル管からなる管状基部１６の基端部側には、接続部材２６を介して剛性を有する管状の基部２０が接続し、また剛性を有する湾曲管部１７側には、接続部材２６を介して剛性を有する管状の接続管２７が接続している。接続管２７と湾曲管部１７とは、図１および図３（ａ）と同様の接合部材１８により接合している。湾曲管部１７に設けられている環状の結合部１９には、線材２８が結合され、ガイド管１５挿入側と反対の開口部１３から引き出されている。
【００２９】
ガイド管１５の挿入側と反対側の開口部１３付近には、画像表示装置３０が設けられている。この画像表示装置３０は上記ガイド管１５の挿入側と反対側の開口部１３に挿入されるケーブル３１の先端に設けられた照明付カメラ、ＣＣＤカメラ等の撮像機３２と、ヘダー１１の外側に設けられた画像表示部３３の組合せからなり、これにより湾曲管部１７の先端部と管４の開口端を観察できるようにされている。他の構成は図１および図３（ａ）と同様である。
【００３０】
上記のガイド管１５を、ヘダーの開口部１３からヘダー１１内の空間部１４に挿入するが、一般的には図２のように一体化したガイド管１５を、管状基部１６のフレキシブル性を利用して、湾曲管部１７側から順次開口部１３を通して空間部１４に挿入し、基部２０は開口部１３から突出させておく。このときガイド管１５は、フレキシブル管からなる管状基部１６の中間部に介在する複数のウエイト部材２５がヘダー１１の底部に嵌まり込み、管状基部１６がヘダー１１の最下部に安定して位置する。そしてフレキシブル管からなる管状基部１６の基端部側には、接続部材２６を介して剛性を有する管状の基部２０が接続し、また湾曲管部１７側には、接続部材２６を介して剛性を有する管状の接続管２７が接続し、さらに接続部材１８を介して湾曲管部１７が接続している。
【００３１】
このときヘダー１１側面部の開口部１３から観察しながら、手でガイド管１５を押したり、引いたりしてガイド管１５を移動させるとともに、手でガイド管１５をひねる（回転させる）ことにより、湾曲管部１７の先端を管４の開口部に対向するように操作することができる。このとき、管状基部１６のフレキシブル性により位置決めが困難な場合には、湾曲管部１７に設けられている環状の結合部１９に結合された線材２８を、ガイド管１５挿入側と反対の開口部１３から引き出す操作を組み合わせることにより、管状基部１６の位置決めを正確に行うことができる。また画像表示装置３０の撮像機３２を、湾曲管部１７の先端部と管４の開口端を観察できる位置に配置し、撮像機３２の画像信号を画像表示部３３に表示させることにより、湾曲管部１７の先端部と管４の開口端を観察しながら、ガイド管１５の挿入操作を行うことにより、湾曲管部１７の先端部の位置を正確に制御することができる。
【００３２】
このように湾曲管部１７をヘダー１１に接続する管４の開口端に対向させた状態で、ガイド管１５内に挿通した洗浄ノズル２３付フレキシブルホース２４を管４の開口端から管４内に挿入し、洗浄ノズル２３から水ジェットを噴射して管４の内面を洗浄し、これを繰返してジェット洗浄を行うが、これらの操作は図１および図３（ａ）の場合と同様である。
【実施例】
【００３３】
以下、本発明の実施例について説明する。以下の実施例では、内径２６ｃｍ、長さ２ｍのヘダー１１に、内径５５ｍｍ、長さ８ｍの管４が上向きかつ列状に接続した図１および図２の側壁管８のジェット洗浄を行った。ヘダー１１は図１に示すように、長手方向端部に設けられた開口部１２として、内径７６ｍｍ、長さ１６ｃｍの接続管が設けられ、側面部の開口部１３として、直径１０ｃｍの円形の点検口が設けられている。
【実施例１】
【００３４】
上記側壁管８の化学洗浄後に、図１および図３（ａ）の方法でジェット洗浄を行った。内径２０ｍｍの剛性を有するガイド管１５の管状基部１６を開口部１２から挿入し、湾曲管部１７を開口部１３から挿入し、開口部１３から接合部材１８で管状基部１６と接合し、開口部１３から手でガイド管１５を支え、ガイド管１５を移動させて湾曲管部１７の端部を管４の開口端に対向させ、後方噴射式洗浄ノズル２３を先端に取付けた直径１２ｍｍのフレキシブルホース２４をガイド管１５内に挿通し、洗浄ノズル２３付フレキシブルホース２４を前進、後退させ、２０ＭＰａの高圧水を噴射して管４の洗浄を繰返した。１本当たりの管４の洗浄時間は約１．５分であった。
【実施例２】
【００３５】
実施例１と同様に、図１の方法でジェット洗浄を行った。ガイド管１５として、図２および図３（ｂ）に示すように、内径２０ｍｍのフレキシブル管からなる管状基部１６の中間部に、２個のウエイト部材２５を介在させたものを、一方の開口部１３からヘダー１１内の空間部１４に挿入し、反対側の開口部１３には画像表示装置３０を設けて画像を観察しながら、ガイド管１５を移動させて湾曲管部１７の端部を管４の開口端に対向させ、後方噴射式洗浄ノズル２３を先端に取付けた直径１２ｍｍのフレキシブルホース２４をガイド管１５内に挿通し、洗浄ノズル２３付フレキシブルホース２４を前進、後退させ、２０ＭＰａの高圧水を噴射して管４の洗浄を繰返した。１本当たりの管４の洗浄時間は約２〜３分であった。
【産業上の利用可能性】
【００３６】
ボイラ等のヘダーに接続する管の内面をジェット洗浄する方法、特にヘダーから立ち上がるように列状に接続する管の内面をジェット洗浄する方法に利用可能である。
【符号の説明】
【００３７】
１：ボイラ、２：水ドラム、３：蒸気ドラム、４：管、５：管群、６：前壁管、７：後壁管、８：側壁管、１０、１１：ヘダー、１２、１３：開口部、１４、空間部、１５：ガイド管、１６：管状基部、１７：湾曲管部、１８：接合部材、１９：結合部、２０：基部、２１：ハンドル、２２：空気／水注入部、２３：洗浄ノズル、２４：フレキシブルホース、２５：ウエイト部材、２６：接続部材、２７：接続管、２８：線材、３０：画像表示装置、３１：ケーブル、３２：撮像機、３３：画像表示部。
【図１】
2010210221.tif 000003
【図２】
2010210221.tif 000004
【図３】
2010210221.tif 000005
【図４】
2010210221.tif 000006